(57)【特許請求の範囲】
【請求項１】
車両の壁に設けられた開口に取り付けるための取付け装置（２００）において、当該取付け装置（２００）が、以下に挙げる特徴：
−少なくとも１つの支持ノーズ（２２０）を備えた支持エレメント（２１０）が設けられており；
−前記壁に当該取付け装置（２００）を取り付けるための少なくとも１つの保持ウイング（２４０）を備えた保持エレメント（２３０）が設けられており、該保持エレメント（２３０）が、当該取付け装置（２００）を取り付けるために、前記支持エレメント（２１０）に対して回転可能に前記支持エレメント（２１０）を貫いて配置されており、前記支持ノーズ（２２０）が、前記支持エレメント（２１０）の回転をロックするために形成されており；
−前記少なくとも１つの保持ウイング（２４０）が、互いに異なる厚さを有する多数の範囲を有している；
を有しており、前記支持ノーズ（２２０）が、前記開口（１００）内への嵌込み時の補助手段を提供するために形成されており、前記支持ノーズ（２２０）が、前記支持エレメント（２１０）から前記保持ウイング（２４０）の外縁部を越えるまで延びていることを特徴とする、車両の壁に設けられた開口に取り付けるための取付け装置。
【請求項２】
前記保持エレメント（２３０）が、多数の保持ウイング（２４０）を有している、請求項１記載の取付け装置。
【請求項３】
前記少なくとも１つの保持ウイング（２４０）が、厚さプロファイルに斜面を有している、請求項１又は２記載の取付け装置。
【請求項４】
当該取付け装置（２００）が、さらにシールエレメント（２５０）を有しており、該シールエレメント（２５０）が、前記壁（１０５）に設けられた開口（１００）を流体密に閉鎖するために形成されている、請求項１から３までのいずれか１項記載の取付け装置。
【請求項５】
前記少なくとも１つの保持ウイング（２４０）が、該保持ウイング（２４０）の位置が判っている場合に当該取付け装置（２００）の向きを決定するために形成されている幅を有している、請求項１から４までのいずれか１項記載の取付け装置。
【請求項６】
前記支持エレメント（２１０）または前記保持エレメント（２３０）が、前記支持エレメント（２１０）に対する、予め規定された角度だけの前記保持エレメント（２３０）の回転を使用者に信号報知するために形成されている機械的なユニットを有している、請求項１から５までのいずれか１項記載の取付け装置。
【請求項７】
前記支持エレメント（２１０）および／または前記保持エレメント（２３０）が、保護エレメント（２６０）を有しており、該保護エレメント（２６０）が、取り付けられていない状態における前記保持ウイング（２４０）の位置において、センサをコンタクトするための差込み結合手段（２７０）をブロックし、そして前記保持ウイング（２４０）の上記位置に対して、予め規定された角度だけ前記保持ウイング（２４０）が回転させられると、センサのためのコンタクトのための差込み結合手段（２７０）をブロック解除するために形成されている、請求項１から６までのいずれか１項記載の取付け装置。
【請求項８】
前記支持エレメント（２１０）および／または前記保持エレメント（２３０）が、少なくとも１つのロックユニット（８００）を有しており、該ロックユニット（８００）が、前記保持エレメント（２３０）を、予め規定された位置への到達後に、該予め規定された位置に保持するために形成されている、請求項１から７までのいずれか１項記載の取付け装置。
【請求項９】
請求項１から８までのいずれか１項記載の取付け装置（２００）を備えたセンサエレメント。
【請求項１０】
車両の壁に設けられた開口に所定のエレメントを取り付けるための取付け装置（２００）であって、当該取付け装置（２００）が、少なくとも１つの支持ノーズ（２２０）を備えた支持エレメント（２１０）と、前記壁に当該取付け装置（２００）を取り付けるための少なくとも１つの保持ウイング（２４０）を備えた保持エレメント（２３０）とを有しており、該保持エレメント（２３０）が、当該取付け装置（２００）を取り付けるために、前記支持エレメント（２１０）に対して回転可能に前記支持エレメント（２１０）を貫いて配置されており、前記少なくとも１つの保持ウイング（２４０）が、互いに異なる厚さを有する多数の範囲を有しており、前記支持ノーズ（２２０）が、前記支持エレメント（２１０）の回転をロックするために形成されている形式の取付け装置（２００）を取り付けるための方法（１０００）において、当該方法が、以下に挙げるステップ：
−前記壁（１０５）に設けられた開口（１００）内に前記支持ノーズ（２２０）と前記保持エレメント（２３０）とを導入し（１０１０）；
−当該取付け装置（２００）を前記壁（１０５）にロックするために、前記支持エレメント（２１０）に対して前記保持ウイング（２４０）を回転させて、前記支持ノーズ（２２０）により前記支持エレメント（２１０）の回転をロックする；
を包含するものであって、前記支持ノーズ（２２０）が、前記開口（１００）内への嵌込み時の補助手段を提供するために形成されており、前記支持ノーズ（２２０）が、前記支持エレメント（２１０）から前記保持ウイング（２４０）の外縁部を越えるまで延びていることを特徴とする、車両の壁に設けられた開口にエレメントを取り付けるための取付け装置を取り付けるための方法。
【発明の詳細な説明】
【技術分野】
【０００１】
本発明は、請求項１の上位概念部に記載の形式の、壁に設けられた開口に所定のエレメントを取り付けるための取付け装置ならびに請求項１２の上位概念部に記載の、壁に取付け装置を取り付けるための方法に関する。
【０００２】
背景技術
構成部分、特にセンサ（たとえば拘束システム用の）は、自動車工業においては種々異なる様式で車両に取り付けられる。典型的には、ねじ締結、リベット締結および接着のような取付け形態が使用される。特に、たとえばエアバッグシステムのような安全性にとって重要な用途におけるセンサでは、確実な組付けが極めて重要となる。第１に、工場からの出荷時に適正な組付けが確保されていなければならない。しかし、それと同時に、このセンサは全寿命にわたって、修理等の際にやはり適正な向きおよび位置に確実に組み付けられたままでなければならないか、または確実に交換可能でなければならない。
【０００３】
したがって、たとえばねじ締結により取り付けられる現在のセンサにおいては、多くの場合、組付けが記録管理（dokumentieren）される。このことは、たとえばセンサのねじ締結プロセスにおいてトルクおよび回転角度が監視されかつ記録されることにより行われる。
【０００４】
ドイツ連邦共和国特許出願公開第１９９２３９８５号明細書に基づき公知のセンサアッセンブリでは、側面衝突センシングのために使用される圧縮空気センサのハウジングが、取付け手段、たとえばねじを介して、車両の壁もしくはパネルに取り付けられる。
【０００５】
発明の開示
本発明によれば、車両の壁（パネル）に設けられた開口に取り付けるための取付け装置において、当該取付け装置が、以下に挙げる特徴：
−少なくとも１つの支持ノーズを備えた支持エレメントが設けられており；
−前記壁に当該取付け装置を取り付けるための少なくとも１つの保持ウイングを備えた保持エレメントが設けられており、該保持エレメントが、当該取付け装置を取り付けるために、前記支持エレメントに対して回転可能に前記支持エレメントを貫いて配置されており、前記支持ノーズが、前記支持エレメントの回転をロックするために形成されている；
を有していることを特徴とする、車両の壁に設けられた開口に取り付けるための取付け装置が提供される。
【０００６】
さらに、本発明によれば、車両の壁（パネル）に設けられた開口に所定のエレメントを取り付けるための取付け装置であって、当該取付け装置が、少なくとも１つの支持ノーズを備えた支持エレメントと、前記壁に当該取付け装置を取り付けるための少なくとも１つの保持ウイングを備えた保持エレメントとを有しており、該保持エレメントが、当該取付け装置を取り付けるために、前記支持エレメントに対して回転可能に前記支持エレメントを貫いて配置されており、前記支持ノーズが、前記支持エレメントの回転をロックするために形成されている形式の取付け装置を取り付けるための方法において、当該方法が、以下に挙げるステップ：
−前記壁に設けられた開口内に前記支持ノーズと前記保持エレメントとを導入し；
−当該取付け装置を前記壁にロックするために、前記支持エレメントに対して前記保持ウイングを回転させて、前記支持ノーズにより前記支持エレメントの回転をロックする；
を包含することを特徴とする、車両の壁に設けられた開口にエレメントを取り付けるための取付け装置を取り付けるための方法が提供される。
【０００７】
本発明は、取付け装置を取り付けたい壁もしくはパネルの後側で取付け時に回転する保持ウイングを備えた取付け手段を設けることにより、壁に所定のエレメントを取り付けるための単純で、しかも確実な取付け手段が得られるという認識に基づいている。取付けの前に、保持ウイングは、壁に設けられた、細長く形成された孔（開口）に差し通すことのできる位置にまで回転させられる。孔に差し通された後に、壁の後側で保持ウイングの回転が行われる。当該取付け装置が取付け過程の際に壁に対して回転し得ないようにするためには、（取り付けられた状態で壁に位置固定された）支持エレメントに、たとえば前記開口内に係合する支持ノーズを設けることができる。支持エレメントまたは保持エレメントには、正確に予め規定された位置に保持したい、たとえばセンサのような別のエレメントを取り付けることができる。ロック機構がバヨネットクロージャ式に形成されていることにより、本発明における取付け手段は、取付け装置を固定するためのねじのような別のエレメントなしでも十分となる。それと同時に、保持エレメントの押圧および回転によって、壁にエレメントを取り付けるための極めて迅速な取付け手段を提供することができる。
【０００８】
本発明の思想により、取付け装置が構造的に極めて単純に形成されているという利点が提供される。さらに、必要となる構成エレメントを、簡単な製造方法、たとえばプラスチック射出成形法により製造することができるので、廉価な製造が可能となる。それと同時に、本発明によれば、取付け装置（および場合によっては該取付け装置に取り付けられたエレメント）が、取付け過程の際または取付け過程の後に、予め規定された位置に確実に保持され得るので、あとで位置調整位置がずれる危険がほぼ排除されていることが確保される。
【０００９】
本発明の好都合な実施態様では、保持エレメントが多数の保持ウイングを有している。このことは次のような利点をもたらす。すなわち、一方では取付け時に壁の裏面に保持力が均一に分配付与され、このときに取付け装置の位置ずれの確率が一層低減される。他方において、少なくとも２つの保持ウイングを設けることも、保持エレメントの安定性を確保するので、これらの保持ウイングのうちの１つが損傷した場合でも、機能性の重大な損失を懸念する必要はない。
【００１０】
また、前記少なくとも１つの保持ウイングは、互いに異なる厚さを有する多数の範囲を有していてよい。このことは次のような利点をもたらす。すなわち、一方では種々異なる壁厚さを有する壁における取付けが可能となり、他方では種々異なる押圧力が壁に付与され得る。
【００１１】
本発明の別の実施態様では、前記少なくとも１つの保持ウイングが、厚さプロファイル、つまり厚さ断面輪郭に、斜面を有している。このことは、保持ウイングの締付け時に利点をもたらす。なぜならば、保持ウイングが斜面によって自ら位置固定されて、当該取付け装置を壁に引き締め、この壁に位置固定するからである。
【００１２】
汚れや液体に対する前記開口のシールを保証するためには、当該取付け装置が、さらに、前記壁に設けられた開口を流体密に閉鎖するために形成されているシールエレメントを有していてよい。
【００１３】
また、本発明の別の実施態様におけるように、前記少なくとも１つの保持ウイングが、該保持ウイングの位置が判っている場合に当該取付け装置の向きをコード化するために形成されている幅を有していてもよい。このことは次のような利点を提供する。すなわち、特徴的な保持ウイングを認識することにより、組付け時に当該固定装置の位置もしくは向きのコード化が可能になるので、当該位置の付加的なコード化またはマーク化を不要にすることができる。
【００１４】
本発明のさらに別の実施態様では、前記支持ノーズが、前記開口内への嵌込み時の補助手段を提供するために形成されており、前記支持ノーズが、前記支持エレメントから前記保持ウイングの外縁部を越えるまで延びている。このことは、前記開口への導入時の損傷に対する保持ウイングの保護をもたらすと同時に、取付工のためには、前記開口への視界が遮られている場合に前記開口内への当該取付け装置の導入を付加的に容易にする。
【００１５】
また、本発明の別の実施態様では、前記支持エレメントまたは前記保持エレメントが、前記支持エレメントに対する、予め規定された角度だけの前記保持エレメントの回転を使用者に信号報知するために形成されている機械的なユニットを有している。このことは、当該取付け装置の取付け時に単純な構造的なエレメントによって、確実な保持が保証されている位置へ保持ウイングが回転させられたことを取付工に信号報知することができるという利点をもたらす。
【００１６】
また、本発明のさらに別の実施態様では、前記支持エレメントおよび／または前記保持エレメントが、保護エレメントを有しており、該保護エレメントが、取り付けられていない状態における前記保持ウイングの位置において、センサをコンタクトするための差込み結合手段をブロックし、そして前記保持ウイングの上記位置に対して、予め規定された角度だけ前記保持ウイングが回転させられると、センサのためのコンタクトのための差込み結合手段をブロック解除するために形成されている。このことは、当該取付け装置の取付工に、当該取付け装置がまだ正しく取り付けられていないことを報知するための手段を提供する。こうして、センサをコンタクトするための差込み結合部の差込みがブロック解除されることが阻止されると、別の作業工程において、当該取付け装置の後調整が行われなければならないので、確実な取付けが保証され得る。
【００１７】
また、本発明のさらに別の実施態様では、前記支持エレメントおよび／または前記保持エレメントが、少なくとも１つのロックユニットを有しており、該ロックユニットが、前記保持エレメントを、予め規定された位置への到達後に、該予め規定された位置に保持するために形成されている。こうして、当該取付け装置が、到達された所望の位置から再び回転してしまうこと、ひいては確実な固定部が再びずれ動いてしまうことが阻止され得るので有利である。
【００１８】
さらに、前に挙げた実施態様に記載されているような取付け装置を備えたセンサエレメントが設けられていてよい。このことは、次のような利点をもたらす。すなわち、このような配置構成において、センサエレメントの特に確実な位置および向きが確保され得るようになり、したがって、センサエレメントの機能性ができるだけ良好に保証される。
【００１９】
以下に、本発明の実施形態を図面につき詳しく説明する。
【図面の簡単な説明】
【００２０】
【図１】取付け装置を導入しかつ固定することのできる壁に設けられた開口の孔パターンを２つの図で示す概略図である。
【図２】本発明の１実施形態を示す斜視図である。
【図３】図２に示した本発明の実施形態を、支持体に取り付けられた状態で示す斜視図である。
【図４】図３に示した本発明の実施形態を示す別の斜視図であり、この場合、一部が断面図で図示されている。
【図５】本発明の１実施形態を種々異なる斜視図で示す図である。
【図６】図５に示した本発明の実施形態を示す概略図であり、この場合、本実施形態の可能な実施のための寸法が記入されている。
【図７】図５または図６に示した実施形態の横断面図である。
【図８】予め規定された位置の到達後における取付け装置の回転を防止するロックエレメントを有する本発明の実施形態を示す斜視図である。
【図９】壁に設けられた開口内への本発明による取付け装置の迅速でかつ確実な組込みのための組込み補助手段を有する本発明の実施形態を示す斜視図である。
【図１０】方法としての本発明の１実施形態を示すフローチャートである。
【００２１】
場合によって記載された寸法は例示的に示されているに過ぎず、本発明はこれらの寸法に限定されるものではない。同じ構成要素または類似の構成要素には同じ符号または類似の符号が付されている。さらに、図面、実施形態の説明ならびに特許請求の範囲には、多数の特徴の組合せが含まれている。この場合、これらの特徴を単独の形で使用することもできるし、あるいは例示的に説明されていない別の組合せの形にまとめることもできることは当業者にとっては自明である。
【００２２】
発明の実施形態
本発明の目的は、特にセンサもしくは取付け装置のデザインを、センサを支持することのできる取付け装置の組付けが、付加的な固定手段なしに可能となるように設計することである。それと同時に、誤取付けをできるだけ機械的に阻止するか、もしくは困難にするために、組付けは簡単でかつ確実であることが望ましい。さらに、本発明の目的は、取付け装置もしくはセンサを、多目的に使用可能となり、かつたとえば種々異なる材料厚さを有するドア支持体に組付け可能となるように設計することである。
【００２３】
本発明はさらに、エアバッグ圧力センサの例につき詳しく説明される。しかし、本発明は、別のセンサ形式および別のセンサアプリケーションに適用可能である。エアバッグ圧力センサの場合には、センサが車両のサイドドアに取り付けられ、これにより側面衝突時におけるドアの変形を検出するような使用状況が設定される。
【００２４】
本発明は、主としてセンサのためのバヨネット式の固定コンセプトの使用もしくは改良に基づいている。取付けは特に取付け装置（もしくはセンサ）の回転運動または取付け装置（もしくはセンサ）に取り付けられた部分の、ドア支持体または別の支持体もしくは相応するジオメトリ（幾何学的形状）を有する壁もしくはパネルに対する回転運動によって行われる。支持体もしくは壁には、「バヨネット式の固定」を可能にする孔パターンが設けられているだけでよく、また支持体に対するセンサのシール機能が望まれる場合には、取付け孔の周囲に十分に平坦な、規定された面が与えられているだけでよい。
【００２５】
取付け装置もしくはセンサはこの場合、互いに対して回転可能な２つのコンポーネントから成っている。この場合、一方のコンポーネントは組付け時に支持体に対して回転させられるが、他方のコンポーネントは支持体に不動に位置固定されていて、組付け時には相応して回転させられない。
【００２６】
本発明の思想の利点は以下の通りに要約することができる：
・  センサの組付けが付加的な固定手段なしに可能となる。
・  センサの組付けが、種々異なる厚さを有する支持体もしくは壁において簡単に実施され得る。
・  センサに、孔パターンへの簡単な挿入および簡単でかつ確実な組付けを可能にする装置を取り付けることができる。このことは、機械的な挿入補助手段（斜面）、一義的な取付けのための機械的なコード化部（誤回転された取付けを防止するための手段）、機械的な位置固定部およびロックならびに、オペレータへの視覚的、触覚的および／または音響的なフィードバックにより取付けプロセスのコントロールを可能にする装置である。
・  センサの組付けは、たとえばバヨネットクロージャ式のロックエレメントによって行われ；これにより、保持力はフレキシブルでない、頑丈な機械的な装置を介して付与される。
・  センサは、該センサが支持体内に十分な回転角度を持って正しく組み付けられた場合にしかコネクタのコンタクティングが可能にならないように形成され得る。回転運動が完全に実施されなかった場合には、コネクタは機械的にロックされる。それと同時に、対応コネクタがセンサに差し込まれている場合に、支持体からのセンサの脱落回転が、機械的にロックされているので不可能となるようにデザインを設計することも可能である。
・  センサには、一重または多重の構成で回転ロックが設けられていてよく、この回転ロックは、センサが支持体に圧着されない場合に、センサの両コンポーネントを互いに相対的に回転させることを許さない。これによって、誤組付けもしくは任意の位置におけるセンサコンポーネントの回転によるコネクタの解除が困難にされるか、もしくは回避される。
【００２７】
本発明の総括的な利点は、このような取付け装置もしくはこのように構成されたセンサが、付加的な補助手段なしに確実にかつ簡単に組み付けられ得ることである。
【００２８】
以下に、添付図面につき、作用原理を例示的に詳しく説明する。
【００２９】
図１には、まず支持体もしくは壁に設けられた開口の孔パターンが２つの図面で示されている。この場合、本発明による取付け装置を、壁１０５に設けられたこれらの孔１００内に嵌め込むことができる。これらの孔１００は、本来の中央の孔１００の周囲に、互いに異なる幅の側方範囲１１０を有するように形成されており、これらの側方範囲１１０を通じて、取付け装置の保持ウイングを案内することができる。側方範囲１１０はこの場合、互いに異なる幅を有しているので、保持ウイングの幅によって、壁１０５に設けられた孔１００内への導入時における取付け装置の位置のコード化が可能になる。
【００３０】
図２には、本発明の１実施形態が斜視図で示されている。たとえばセンサの支持体保持部またはセンサ自体であってよい取付け装置２００は、支持体または壁における載着のための支持エレメント２１０を有しており、この場合、この支持エレメント２１０は支持ノーズ２２０を有している。さらに、取付け装置２００は保持ウイング２４０を備えた保持エレメント２３０を有している。この保持エレメント２３０は支持エレメント２１０に対して回転可能に配置されているので、保持エレメント２３０の回転軸線が支持エレメント２１０を貫いて延びている。
【００３１】
支持ノーズ２２０は本実施形態では、壁１０５に設けられた開口１００内に取付け装置２００を組み付けるための挿入補助手段として設けられており、この場合、支持ノーズ２２０は保持ウイング２４０の最外側の範囲をカバーしていて、これによって開口内への導入時に保持ウイング２４０を保護するだけでなく、壁に設けられた開口が、たとえば支持エレメント２１０の陰に隠れて見えなくなっている場合に、組付けの際のガイドをも提供する。また、支持ノーズ２２０もしくは両支持ノーズ２２０は、両保持ウイング２４０と同様に互いに異なる幅を有していてもよい。その場合、支持ノーズ２２０によって同じく取付け装置２００の向きのコード化が可能になる。
【００３２】
取付けの際の取付け装置２００の位置または向きのコード化を確保するために、保持ウイング２４０は、孔１００の側方範囲１１０の互いに異なる幅に相応して形成されていてよい。さらに図２から判るように、種々異なる取付け装置が必要となることなく、種々異なる壁厚さを有する壁への係合を簡単に行うことができるようにするために、保持ウイング２４０は、互いに異なる厚さを有する互いに異なる部分範囲を有している。さらに図２から判るように、シールエレメント２５０が設けられている。このシールエレメント２５０は支持エレメント２１０の縁部を取り囲むように環状に配置されていて、開口もしくは孔１００を、液体または気体に対して流体密に閉鎖することができる。さらに図２から判るように、保護エレメント２６０が設けられている。保護エレメント２６０は支持エレメント２１０もしくは（図２からは判らないが）保持エレメント２３０に固定されていてよい。保護エレメント２６０は、支持エレメント２１０に対して保持エレメント２３０が回転させられたあとでしか差込み結合接続部２７０が解放されないように形成されている。これにより、保持エレメント２３０が申し分なく回転させられたあとでしか、つまり保持エレメント２３０が申し分なくロックされたあとでしか、取付け装置に取り付けられたセンサに対する差込み結合は可能にならない。
【００３３】
支持体厚さ／壁厚さにおける公差および凹凸を補償することができるようにするためには、２つの補償メカニズムを使用することができる。第１には、既に図２に図示されているように、バヨネットウイングもしくは保持ウイング２４０が多段式に形成されていてよい。こうして、孔パターンの相応して適合された内側の半径１００と相まって、取付け装置２００もしくはセンサの押圧部または可能な壁厚さ（支持体厚さ）を変えることができる。このことは図１およびあとで説明する図７から明らかである。第２には、シールエレメント２５０または圧縮性の補償エレメントを取付け装置／センサ２００と壁／支持体１０５との間に挿入することができる。この補償エレメントは、支持体厚さの小さな変化が生じた場合や、支持体に凹凸面が生じた場合に、制限された規模で補償を可能にする。
【００３４】
図３には、本発明の１実施形態の構造が図示されている。この場合、本実施形態において導入補助手段もしくは挿入補助手段として形成されている支持ノーズ２２０が、保持エレメント２３０に設けられた保持ウイング２４０と一緒に、壁１０５に設けられた孔１００もしくは側方範囲１１０内に嵌め込まれる。図３には、壁１０５の裏側から嵌め込まれた後の状態が図示されている。
【００３５】
図４には、保持エレメント２３０と支持ノーズ２２０とが、壁１０５に設けられた開口１００内に嵌め込まれたか、もしくは導入された後の取付け装置の側面図が図示されている。この場合、図４から判るように、支持エレメント２１０には保護エレメント２６０が配置されている。保持エレメント２３０が回転させられると、保護エレメント２６０は差込み結合接続部２７０を解放する。択一的には、支持エレメント２１０を保持エレメント２３０に対して相対的に回転させることもできる。壁１０５の裏側で保持ウイング２４０が回転して、壁１０５における取付け装置２００のバヨネット式のロックを生ぜしめることが確保されるだけでよい。
【００３６】
図５には、外部のコネクタ５００との差込み結合手段である差込み結合接続部２７０のこのような解放が図示されている。この場合、図５の左側には、壁における取付けの前の配置もしくは支持エレメント２１０に対して保持エレメント２３０を回転させる前の配置が側面図（下側の図）および平面図（上側の図）で示されており、図５の右側には、支持エレメント２１０に対して保持エレメント２３０を適正に回転させた後の配置が示されている。この場合、予め規定された角度だけ回転させた後でしか、差込み結合接続部２７０の解放が可能にならないことも判る。なぜならば、この予め規定された角度だけ回転させた後でしか保護エレメント２６０が、コネクタ５００を差込み結合するための差込み結合接続部２７０を解放しないからである。
【００３７】
図６には、図５に示したような取付け装置もしくはセンサの寸法を記入した具体的な設計可能性が図示されている。
【００３８】
図７には、図２〜図６にも示されているような実施形態による取付け装置の概略的な横断面図が示されている。
【００３９】
図８には、取付け装置２００における可能なロックエレメント８００が、互いに異なる３つの拡大斜視図で図示されている。それぞれ図示されたロックエレメント８００は、適正な取付けが得られない、コネクタ係止部２６０に対する取付け装置２００の回転を回避するために設けられている。ロックエレメント８００はこの場合、支持エレメント２１０または保持エレメント２３０の回転時に、予め規定された終端位置が達成されたときにロックエレメント８００が係止され、これによって保持エレメント２３０または支持エレメント２１０の戻し回転を阻止するロック機能を作動させるように形成されていてよい。
【００４０】
図９には、互いに異なる種々の斜視図で、可能となる組立て補助手段が図示されている。これらの組立て補助手段は、たとえば規定された終端ストッパ９１０における案内部または係止部９００を成している。
【００４１】
さらに、図１０には、方法としての本発明の１実施形態のフローチャートが示されている。方法１０００は、壁１０５に設けられた開口１００に１つのエレメントを取り付けるための取付け装置２００を取り付けるために規定されている。この場合、取付け装置２００は、少なくとも１つの支持ノーズ２２０を備えた支持エレメント２１０と、壁に取付け装置を固定するための少なくとも１つの保持ウイング２４０を備えた保持エレメント２３０とを有している。この場合、取付け装置２００を固定するための保持エレメント２３０は、支持エレメント２１０に対して回転可能に支持エレメント２１０を貫いて配置されており、支持ノーズ２２０は、壁１０５における支持エレメント２１０の回転をロックするために形成されている。方法１００は壁１０５に設けられた開口内へ支持ノーズ２２０および保持エレメント２３０を導入する第１のステップ１０１０と、取付け装置を壁に係止するために支持エレメント２１０に対して保持ウイング２４０を回転させる第２のステップ１０２０とを有しており、この場合、支持ノーズ２２０は支持エレメント２１０の回転をロックする。
【００４２】
要約すると、センサもしくはセンサのための取付け装置が、上で既に述べたように、互いに対して回転可能な２つまたはそれ以上の部分から成っていてよい。前記実施形態においてセンサは、センサ２００がシールプレート２５０を備えているように形成されている。このシールプレート２５０は、たとえばセンサ２００に簡単に差し被せることができる（図５および図８参照）。シールプレート２５０は位置固定クラウンを有していてよく、この位置固定クラウンは、センサ２００の納入状態において、センサに固定されたバヨネット式の保持ウイング２４０に隣接している（図２、図３、図４、図８および図９参照）。支持体１０５に設けられた孔１００内への挿入時に、位置固定クラウン２２０とバヨネット式の保持ウイング２４０とは、孔１００；１１０に差し通される。その後に、たとえば保持エレメント２３０に固定されているセンサは、シールプレート２５０（たとえば支持エレメント２１０に配置されている）ならびに支持体１０５に対して、特定の角度だけ回転させられる。シールプレート２５０はこの場合、位置固定クラウン２２０に基づき、支持体１０５にしっかりと位置固定されたままとなり、一緒に回転しない。この場合には、位置固定クラウンが支持ノーズ２２０を形成している。このことは、フレキシブルなシール部材または圧縮性の補償エレメントの使用を可能にすると同時に、組付け時に、とりわけあまり丈夫でフレキシブルではない構造体に剪断力が作用することを回避する。センサの回転時に、バヨネット式の保持ウイング２４０は支持材料を介して内側の半径を中心にして回転し、こうして支持体にセンサを係止する。バヨネット式の保持ウイング２４０はこの場合、斜面によって、センサの固定時に支持体に引き寄せられ、これによってセンサがもう一度、一層強固に位置固定されるように構成されていてよい。前記実施形態では、バヨネット式の保持ウイング２４０が、センサにおいて取付けの際に支持体とセンサとの間にシールプレートを締付け固定する。
【００４３】
位置固定クラウン２２０もしくは支持エレメント２１０には、挿入補助手段／挿入斜面２２０が設けられている。挿入補助手段／挿入斜面２２０は、バヨネットまたは支持体に設けられた孔（視覚的にセンサの陰になって見えていない場合がある）を見ないでも、センサの組付けを可能にする。機械的な装置により（たとえばボール軌道等）、センサが誤った方向へ回転され得ることを回避することができる。さらに、同様の装置または同一の装置を介してセンサの過剰回転を阻止することができる。支持体もしくは壁１０５に対するアンカとして、それぞれ位置固定クラウン２２０を使用することができる。
【００４４】
センサの取付けを一層簡単にし、かつコントロール可能にするためには、センサに、センサが正しく終端位置へ回転させられたかどうか、もしくはセンサが正しく終端位置へ回転させられたことを、オペレータに光学的、触覚的および／または音響的にフィードバックする機械的な装置を設けることができる。センサの多重組付けが可能となるようにクリップ固定装置が形成されていてよい。
【００４５】
センサもしくはシールリングには、機械的なコネクタロックを設けることができる。この機械的なコネクタロックは、センサが支持体に対して十分に回転させられていない場合もしくはセンサが終端位置に位置していない場合に、対応コネクタがセンサに取り付けられ得ることを阻止する（図５および図７参照）。
【００４６】
この装置はさらに、対応コネクタ５００が取り外された場合にのみ、センサが支持体から解離され得るように構成されていてよい。これによって、対応コネクタ５００および電気的なコンタクティング部は、可能なコントロール機構を得る：電気的なコンタクトが存在していると、センサが組み付けられているか、もしくはセンサは取り外されていない。
【００４７】
誤操作をできるだけ十分に阻止するためには、センサに、コネクタロック／シールプレートに対するセンサの回転を防止するためのロックが設けられていてよい。このことは、図８に図示されているような単純なロックフック８００によって形成されていてよい。このロックフック８００はシールプレートに対するセンサの回転およびセンサに対するシールプレートの回転を阻止する。コンタクトもしくは支持体へのセンサの押圧によってロックフックが解除されたあとでしか、シールプレートもしくはコネクタロックに対するセンサの回転が可能にならず、ひいてはコネクタロックのロック解除が可能にならない。このロックフックが多重に形成されていると、意識的な誤操作が一層困難にされる。目的は、センサの回転およびコネクタのロック解除を実際に支持体における目標位置においてのみ可能にするか、もしくは上記手段以外の手段によるコネクタの組付けまたはロック解除をできるだけ困難にすることである。
【図１】
0005579184.tif 000002
【図２】
0005579184.tif 000003
【図３】
0005579184.tif 000004
【図４】
0005579184.tif 000005
【図５】
0005579184.tif 000006
【図６】
0005579184.tif 000007
【図７】
0005579184.tif 000008
【図８】
0005579184.tif 000009
【図９】
0005579184.tif 000010
【図１０】
0005579184.tif 000011